(57)【要約】【課題】ストローク時、打球時のフェース面方向を安定させることで、打球方向の狂いを少なくするゴルフ用パターを提供する。【解決手段】ネック８は、パターヘッド１０のフェース部２に対して打球方向へ曲がって延びた構成を有し、シャフト軸２２が、重心線２１上の、フェース面２ａとの交点ａとシャフト軸線２０との交点ｂとの距離Ｌ、および、前記重心線２１上の、重心Ｇからシャフト軸線２０との交点ｂとの距離Ｒ分打球方向に離れたように構成されている。【選択図】図２
2005007160.tif 000002
【特許請求の範囲】
【請求項１】
パターヘッドとシャフトからなり、前記パターヘッドは、ヘッド本体と前記シャフトを連結するホーゼル部を含み、前記パターヘッドの重心を通りフェース面に垂直（打球方向）に延びる重心線と前記シャフトのシャフト軸線が、フェース面の前方で交差する構造を有するゴルフ用パターであって、前記重心線上のフェース面との交点ａと前記重心線とシャフト軸線との交点ｂとの距離Ｌが３０ｍｍ〜１２０ｍｍで、かつ、重心線上の、重心からシャフト軸線との交点ｂとの距離Ｒが３５ｍｍ〜２００ｍｍで形成されていることを特徴とするゴルフ用パター。
【請求項２】
前記パターヘッドのソールを平らな地面に沿わせ、打球準備の状態で静止させた状態（パッティングのアドレスの状態）で、前記パターヘッドを地面に垂直に投影させた形状において、前記パターヘッドのネックの中心線は重心Ｇを通りフェース面に垂直（打球方向）に延びる前記重心線に重なる直線であり、なおかつ、フェース面とシャフト軸線が、前記ネックの中心線に垂直であることを特徴とする請求項１記載のゴルフ用パター。
【請求項３】
前記パターヘッドのソールを平らな地面に沿わせ、打球準備の状態で静止させた状態（パッティングのアドレスの状態）で、前記パターヘッドを地面に垂直に投影させた形状において、前記パターヘッドのネックの中心線は重心Ｇを通りフェース面に垂直（打球方向）に延びる前記重心線に平行であり、なおかつ、フェース面とシャフト軸線が、前記ネックの中心線に垂直であることを特徴とする請求項１記載のゴルフ用パター。
【発明の詳細な説明】
【技術分野】
【０００１】
本発明は、ゴルフ用パター（以下パターと省略する）に関するものである。
【背景技術】
【０００２】
パターの機能は、グリーン上において少ない打数でカップインするようにボールを打つことである。従って、パターに求められる特性は、目的とする方向にボールを容易に打ち出せることである。
【０００３】
現在、殆どのパターは、パターのヘッドのヒール端部またはその近くに形成されているホーゼルにシャフトが取り付けられている。また、前記ホーゼルは、ヘッドから上方に伸びるか、あるいは、前方へオフセットされた後、上方に伸びたように形成されている。
前記パターのヘッドの打撃中心すなわちスィートスポットは、ヘッドの重心を通りフェースに垂直な線である重心線のフェース面との交点にある。したがって、スィートスポットを外してボールを打った場合（オフセット打球）には、ヘッドは慣性力により回転し、フェース方向が変化するため、ボールは目的とする方向を外れて転がることとなる。
【０００４】
そこで、その解決手段として、パターヘッドのヒールとトウに質量が集中させることによってパターヘッドの慣性モーメントを増大させ、かつ、フェースバランスを取ったパターが提案されている。前記フェースバランスの取れたパターでは、そのシャフトの軸線が、パターヘッドの重心を通るかまたはその重心を通ってフェースに対して直角に延びる線と交差していることで、ストローク時の方向安定性を向上させることができる。
【０００５】
例えば、特開平６−１９００９３号に開示されているように、パターヘッドは、トウとヒールの部分に質量が集中されており、その重心がパターヘッドのトウとヒールのほぼ中央に位置するように形成され、パターのシャフトの長手軸がパターのフェースと垂直に延びかつ重心を通る仮想線と、パターのフェース前方の点において交差するようにシャフトが位置付けされるたものが開示されている。
従って、フェースバランス（シャフト軸が、重心を通りなおかつフェースの垂直方向に延びる仮想軸と、フェース前方で交差する）であることと、トウとヒールに質量が集中していることによりヘッド重心回りの慣性モーメントが、高められ、オフセット打球時におけるパターヘッドの回転を抑制することができる。
【特許文献１】特開平６−１９００９３号公報
【発明の開示】
【発明が解決しようとする課題】
【０００６】
前記フェースバランスの取れたパターは、シャフト軸回りに回転力を加えず、シャフトを併進運動させたときの、ヘッドが回転しないための条件であり、パターストローク時のフェース面方向の安定性に大いに寄与する。
しかし、意に反してシャフト軸に回転力を加えてしまった場合、当然ヘッドは回転し、フェース面の方向が狂うこととなる。
【０００７】
また、シャフト軸回り慣性モーメントを高めることは、これはパターに関して非常に重要である。これが大きいほど、シャフトに加える回転力に対して、シャフト軸回りで回転する角速度が小さくなる。つまり、パターヘッドの安定性に重要な要素であるといえる。
しかしながら、一度シャフト軸回りで回転が始まった後、この回転を止めようとする場合、シャフト軸回り慣性モーメントに比例して、回転を止めるのに必要な力は大きくなる。つまり、シャフト軸回りの慣性モーメントが大きいパターは、一度シャフト軸回りで回転してしまうと、コントロールが効かない状態になり、フェース面方向に大きな狂いが生じる。
【０００８】
また、現実のパットのストロークにおいて、プレイヤーは、打球方向に対しフェース面が垂直になるようアドレス（準備）した後、シャフト軸を回転させないよう（フェースの方向を変えないよう）に注意しながらシャフトを移動させている。そして、もし意に反してシャフト軸回りで回転させてしまった場合、打球までの間に微妙な修正を施している。
プレイヤーが上級者でシャフト軸回りの回転をゼロのまま、あるいは極少ない回転力のまま打球することができるのであれば、フェースバランスであることと、シャフト軸回りの慣性モーメントが大きいことを満たしたパターヘッドであれば問題は無い。しかし、一般的なプレイヤーは、どうしてもストローク中にシャフト軸回りで不安定に回転することが多い。その場合、打球するまでに修正を施す必要があるが、その修正の容易性については、これまで何ら解決が図られていない。
【０００９】
また、パターで打球する場合、ボールとフェース面の接触時間は、アイアン、ドライバーの場合に比べ長く、運動も異なる。アイアン、ドライバーの場合は、ヘッド単体にボールの撃力が加わった状態に近似できるが、パターの場合は全く異なり、プレイヤーが移動方向に加える力、ヘッドの慣性力、ボールの慣性力、この３者の釣り合い状態になると考えられる。したがって、３者の力が釣り合った状態で、フェース方向が移動方向（目標方向）に対してどれほど角度の隔たりがあるかが、方向性を決定する重要な要素となる。この点について、これまで何ら解決が図られていない。
【００１０】
そこで、本発明の目的は、前記問題を解決し、ストローク時、打球時のフェース面方向を安定させることで、打球方向の狂いを少なくするゴルフ用パターを提供することを目的としている。
【課題を解決するための手段】
【００１１】
上記目的を達成する為に、本発明の請求項１に係るゴルフ用パターは、パターヘッドとシャフトからなり、前記パターヘッドは、ヘッド本体と前記シャフトを連結するホーゼル部を含み、前記パターヘッドの重心を通りフェース面に垂直（打球方向）に延びる重心線と前記シャフトのシャフト軸線が、フェース面の前方で交差する構造を有するゴルフ用パターであって、前記重心線上のフェース面との交点ａと前記重心線とシャフト軸線との交点ｂとの距離Ｌが３０ｍｍ〜１２０ｍｍで、かつ、重心線上の、重心からシャフト軸線との交点ｂとの距離Ｒが３５ｍｍ〜２００ｍｍで形成されていることを特徴とするゴルフ用パターである。
【００１２】
本発明の請求項２に係るゴルフ用パターは、請求項１に係るゴルフ用パターであって、前記パターヘッドのソールを平らな地面に沿わせ、打球準備の状態で静止させた状態（パッティングのアドレスの状態）で、前記パターヘッドを地面に垂直に投影させた形状において、前記パターヘッドのネックの中心線は重心Ｇを通りフェース面に垂直（打球方向）に延びる前記重心線に重なる直線であり、なおかつ、フェース面とシャフト軸線が、前記ネックの中心線に垂直であることを特徴とするゴルフ用パターである。
【００１３】
本発明の請求項３に係るゴルフ用パターは、請求項１に係るゴルフ用パターであって、前記パターヘッドのソールを平らな地面に沿わせ、打球準備の状態で静止させた状態（パッティングのアドレスの状態）で、前記パターヘッドを地面に垂直に投影させた形状において、前記パターヘッドのネックの中心線は重心Ｇを通りフェース面に垂直（打球方向）に延びる前記重心線に平行であり、なおかつ、フェース面とシャフト軸線が、前記ネックの中心線に垂直であることを特徴とするゴルフ用パターである。
【発明の効果】
【００１４】
以上のように本発明のゴルフ用パターは、パターヘッドの重心を通りフェース面に垂直（打球方向）に延びる重心線と前記シャフトのシャフト軸線が、フェース面の前方で交差する構造を有するゴルフ用パターであって、前記重心線上の、フェース面との交点ａとシャフト軸線との交点ｂとの距離Ｌが３０ｍｍ〜１２０ｍｍで、かつ、重心線上の、重心からシャフト軸線との交点ｂとの距離Ｒが３５ｍｍ〜２００ｍｍで形成されているため、プレイヤーがスイングのイメージしやすい。また、ストローク時に違和感のない良好性を損なうことなくスイング時におけるフェース面の安定性を得て、打球（直前）時にカップ方向に確実にフェース面を向けることができる。さらに、打球位置がずれた場合にも、ヘッドの回転を抑えて、打球方向の安定性を得ることができる。
【００１５】
また、パターヘッドのソールを平らな地面に沿わせ、打球準備の状態で静止させた状態（パッティングのアドレスの状態）で、パターヘッド形状を地面に垂直に投影させた形状（プレイヤーがアドレス時に地面垂直真上から眺めた、パターの輪郭形状）において、ネックの中心線は、重心Ｇを通りフェース面に垂直（打球方向）に延びる重心線に重なり、打球方向の照準ラインとすることができる。
【００１６】
更に前記パターヘッド１０のソールを平らな地面に沿わせ、打球準備の状態で静止させた状態（パッティングのアドレスの状態）で、前記パターヘッド形状を地面に垂直に投影させた形状に（プレイヤーがアドレス時に地面垂直真上から眺めた、パターの輪郭形状）おいて、ネックの８中心線８ａは、重心Ｇを通りフェース面２ａに垂直（打球方向）に延びる重心線２１に平行とすることで、ネックのラインが、打球方向に平行であり、ボールから位置的にずれているパターンも、十分、打球方向の照準ラインとすることができる。
【００１７】
この照準ラインが通常パターより長いこととなり、また自動的に、真上から見てボールの中心を横切ることとなり、照準ラインとして非常に有効である。更に、ネックとシャフトは、真上から見て２本の直線が直角に交わるように見える。従って、真上から見て、フェース面の直線と、これに平行なシャフト軸の直線が、前記ネックの中心線（直線）に垂直であるため、前記３本の線に曲線が無くシンプルで、全て打球方向の目印となるため、正確にアドレスすることが可能である。
【発明を実施するための最良の形態】
【００１８】
以下、本発明の一実施形態を図面に基づき詳細に説明する。
図１は、本発明のパターを説明する全体斜視図、図２は、パターヘッドを側面から見た説明図、図３は、パターヘッドをプレイヤーがアドレス時に地面垂直真上から眺めた説明図、図４は他の実施例を示す説明図である。また、図５〜図８は、本発明のパターを力学的に説明した図である。
【００１９】
図１に示すように、本実施の形態におけるパター３０は、ヘッド本体１と、ホーゼル部３と、このホーゼル部３にシャフト１１が接続された構成とし、また、前記シャフト１１の上端部には図示しないグリップが取り付けられている。前記シャフトおよびグリップとしては周知のものが採用可能である。
【００２０】
前記ヘッド本体１は、例えば、ステンレス、チタン合金等の金属、あるいは樹脂などの金属以外の素材と金属との複合素材で構成され、実質的に平らなフェース部２と、該フェース部２の下部から後方に延びたソール部４と、ヒール５と、そしてトウ６とを有する。
そして、前記ヘッド本体１のフェース部２の上端面７の中央部７ａには、該上端面７から立上ってネック８が形成され、該ネック８の上端に、ホーゼル部３が設けられていることでパターヘッド１０が形成されている。
【００２１】
また、前記フェース部２は、金属のみで構成してもよいが、樹脂などの金属以外の素材と金属との複合素材で構成してもよい。例えば、フェース面２ａの中央部に樹脂パーツを嵌め込み、フェース面２ａの中央部を樹脂で構成することが考えられる。
【００２２】
本実施の形態において、前記パターヘッド１０のフェース部２の後側のヒール５側及びトウ６側には、ウエイト部９ａ、９ｂが形成されており、該ウエイト部９ａ、９ｂは、ソール部４から上方とフェース部２から後方に延びた構成としている。
【００２３】
なお、前記パターヘッド１０の重心は、点Ｇによって示され、本実施の形態では、フェース部２の背面側のソール部４の中央部の上方にある。
【００２４】
また、本発明のパター３０において、前記ホーゼル部３とシャフト１１の中心線、すなわち、シャフト軸線２０は、パターヘッドの重心Ｇを通りフェース面に垂直（打球方向）に延びる重心線２１と、パターのフェース面２ａ前方の点ｂで交差する構成としている。
【００２５】
次に、前記ネック８は、図２に示すように、パターヘッド１０のフェース部２に対して打球方向へ曲がって延びた構成を有している。従って、シャフト軸２２が、前記重心線２１上の、フェース面２ａとの交点ａとシャフト軸線２０との交点ｂとの距離Ｌ、および、前記重心線２１上の、重心Ｇからシャフト軸線２０との交点ｂとの距離Ｒ分打球方向に離れたように構成されている。
すなわち、本発明のパター３０は、重心線２１上の、フェース面２ａとの交点ａとシャフト軸線２０との交点ｂとの距離Ｌ、および、前記重心線２１上の、重心Ｇからシャフト軸線２０との交点ｂとの距離Ｒがともに長いことを特徴としている。
【００２６】
また、図３に示すように、パターヘッド１０のソールを平らな地面に沿わせ、打球準備の状態で静止させた状態（パッティングのアドレスの状態）で、パターヘッド形状を地面に垂直に投影させた形状（プレイヤーがアドレス時に地面垂直真上から眺めた、パターの輪郭形状）において、ネック８の中心線８ａは、重心Ｇを通りフェース面２ａに垂直（打球方向）に延びる重心線２１に重なり、打球方向の照準ラインとすることができる。この照準ラインが通常パターより長いこととなり、また自動的に、真上から見てボール４０の中心を横切ることとなり、照準ラインとして非常に有効である。
【００２７】
また、他の実施例として図４に示すように前記パターヘッド１０のソールを平らな地面に沿わせ、打球準備の状態で静止させた状態（パッティングのアドレスの状態）で、前記パターヘッド形状を地面に垂直に投影させた形状に（プレイヤーがアドレス時に地面垂直真上から眺めた、パターの輪郭形状）おいて、ネックの８中心線８ａは、重心Ｇを通りフェース面２ａに垂直（打球方向）に延びる重心線２１に平行とすることも可能である。平行とすることでネックのラインが、打球方向に平行であり、ボールから位置的にずれているパターンも、十分、打球方向の照準ラインとすることができる。
【００２８】
従って、図３、図４に示すネック８とシャフト１１は、真上から見て２本の直線が直角に交わるように見える。従って、真上から見て、フェース面２ａの直線と、これに平行なシャフト軸線２０が、前記ネックの中心線８ａ（直線）に垂直であるため、前記３本の線に曲線が無くシンプルで、全て打球方向の目印となるため、正確にアドレスすることが可能である。
【００２９】
また、本実施の形態のパターヘッドにおいて、スイートスポットは、パターヘッドの重心Ｇを通りフェース面に垂直（打球方向）に延びる重心線２１上の、フェース面２ａとの交点ａの位置にある。
【００３０】
以上のように構成されたパターは、力学的に次のような効果が得られる。
図５に示すように、シャフト軸２２回りの回転をゼロのまま、あるいは極少ない回転力のまま打球することができるのであれば、ストローク中シャフト軸に対し、フェース面垂直方向（打球方向）に力Ｆを加え、その反力としてヘッド重心に逆方向の慣性力Ｆが加わることになる。この場合フェース面方向は変わることなく、シャフト移動方向にボールを打ち出すことができる。
【００３１】
次にシャフト軸回りに回転が生じた場合を考える。
図６に示すように、シャフト軸２２にはヘッド重心の慣性力により、重心Ｇがシャフト進行方向に重なる方向に回転モーメントが加わる。つまり、意に反したシャフト軸２２回りの回転を元に戻す力が加わることになる。プレイヤーがシャフト移動方向にＦの力を加えつつ、シャフト軸回りで反時計回り方向にθ回転させてしまった場合、「Ｆ×Ｒsinθ」のモーメントが生じ、θの回転（フェース方向のズレ）が元に戻る方向に、自動的に回転力が加わる。意に反した回転を修正するには、このモーメント「Ｆ×Ｒsinθ」が大きいほど容易になる。従って、θ、Ｆを一定とした場合、重心線２１上の、重心Ｇからシャフト軸線２０との交点ｂとの距離Ｒである大きいほど、より容易に修正できることが分かる。
【００３２】
次にボールを打撃する瞬間を考える。
前記従来技術で説明したように、パターで打球する場合、ボールとフェース面の接触時間は、アイアン、ドライバーの場合に比べ長いため、図７に示すように、プレイヤーが移動方向に加える力Ｆ＋ω、ヘッドの慣性力Ｆ、ボールの慣性力ω、この３者の釣り合い状態になると考えられる。
スイートスポットから距離Ｓ離れた位置でボール４０を打つ場合、このとき慣性力によってボール３０からフェースに加わる力をωとする。
図８に示すように、フェース面とボールが接触した瞬間、シャフト軸回りに「ω×Ｓ」のモーメントが加わり、シャフト軸２２は反時計回りに回転する。回転が進むと、次にヘッドの慣性力によるモーメントが発生し、やがてこれらがある角度θ’で釣り合うことになる。
従って、この時の力のモーメントの代数和が０になることから、
【００３３】
【数１】
2005007160.tif 000003
が成り立つ。実際θ’は小さいから、cosθ’＝１、sinθ’＝θ’と近似すると、
【００３４】
【数２】
2005007160.tif 000004
となる。
【００３５】
従って、Ｆ、ω、Ｓを一定とすると、打球方向の狂いであるθ’を小さくするには、Ｒ、Ｌを大きくすれば良いことがわかる。
つまり、本発明パターの特徴である、重心線２１上の、フェース面２ａとの交点ａとシャフト軸線２０との交点ｂとの距離Ｌ、および、前記重心線２１上の、重心Ｇからシャフト軸線２０との交点ｂとの距離Ｒがともに長いことは、打球方向の狂いを少なくする真の条件を満たしていることがわかる。
【００３６】
なお、重心線２１上の、フェース面２ａとの交点ａとシャフト軸線２０との交点ｂとの距離Ｌ、および、前記重心線２１上の、重心Ｇからシャフト軸線２０との交点ｂとの距離Ｒの距離は、距離Ｌが３０ｍｍから１２０mm、距離Ｒが３５ｍｍ〜２００ｍｍが好適であると言える。
【００３７】
前記距離Ｌが３０ｍｍ未満では、スイートスポット２０から離れた位置でボールを打つ場合に、ヘッドの回転する角度が大きくなってしまい、ボールの転がり方向のバラツキが大きくなる可能性がある。一方、１２０ｍｍを超える場合は、方向安定性はよくなるものの、プレイヤーが構えたときにフェース面がかなり後方になり、カップへの照準が難しくなる。またプレイヤー自身の打撃時のイメージよりもかなり遅れて打撃されることになり、スイングが特殊となり難しいクラブとなってしまう。
【００３８】
また、前記距離Ｒが、３５ｍｍ未満では、スイングストローク時において、フェース面の方向のズレが生じた場合、元に戻る方向に自動的に加わる回転力が弱くなりこのようなヘッドの回転の修正がプレイヤーにとって容易でなくなってしまう。さらに、スイートスポット２０から離れた位置でボールを打つ場合、ヘッドの回転が大きくなってしまうため、打球方向が狂いやすい。一方、２００ｍｍを超える場合は、実質的にかなりヘッド本体の後方に物体を構成する必要があり、ストローク時に、ヘッドの後方部分が地面に接触し、スイングに支障をきたす。また、キャディバックに収納し辛くなるなどの不具合も生じる。
【図面の簡単な説明】
【００３９】
【図１】本発明のパターを説明する全体斜視図。
【図２】パターヘッドを側面から見た説明図。
【図３】パターヘッドをプレイヤーがアドレス時に地面垂直真上から眺めた説明図。
【図４】他の実施例を示す説明図。
【図５】本発明のパターを力学的に説明した図。
【図６】本発明のパターを力学的に説明した図。
【図７】本発明のパターを力学的に説明した図。
【図８】本発明のパターを力学的に説明した図。
【符号の説明】
【００４０】
１    ヘッド本体
２    フェース部
２ａ    フェース面
４    ホーゼル部
５    ヒール
６    トウ
７    上端面
７ａ    中央部
８    ネック
８ａ    中心線
９ａ    ウエイト部
９ｂ    ウエイト部
１０    パターヘッド
１１    シャフト
２０    シャフト軸線
２１    重心線
２２    シャフト軸
３０    パター
４０    ボール
【図１】
2005007160.tif 000005
【図２】
2005007160.tif 000006
【図３】
2005007160.tif 000007
【図４】
2005007160.tif 000008
【図５】
2005007160.tif 000009
【図６】
2005007160.tif 000010
【図７】
2005007160.tif 000011
【図８】
2005007160.tif 000012